(57)【要約】【課題】  パターンを変更することなく、一対のコイル間の静電容量値を容易に設定することが可能なＬＣ複合フィルタ部品を提供すること。【解決手段】  複数の絶縁材料を積層して構成された積層体と、信号端子電極にそれぞれ接続する信号コイル導体５６と、信号コイル導体５６のコイル導体パターンが形成された第３、第５、第７及び第９絶縁材料２４、２６、２８、３０を含む複数の絶縁材料の表面に、信号コイル導体５６と離間して配置された浮きコイル導体５７と、第４、第６及び第８絶縁材料２５、２７、２９の表面に形成され、信号コイル導体５６及び浮きコイル導体５７と対向して配置された第１から第３平面導体５１〜５３と、第１及び第１１絶縁材料２２、３２の表面に、浮きコイル導体５７と対向して形成された第１及び第２アース導体５４、５５とを備えること。【選択図】  図１
2006041632.tif 000002
【特許請求の範囲】
【請求項１】
複数の絶縁材料を積層して構成された積層体と、
前記積層体の内部に設けられ、複数の前記絶縁材料の表面に形成されたコイル導体パターンによって構成され、両端が前記積層体の外部に設けられた一対の信号端子電極にそれぞれ接続するコイル導体である信号コイル導体と、
前記積層体の内部に設けられ、前記信号コイル導体を構成するコイル導体パターンが形成された複数の前記絶縁材料の内の少なくとも１つを含む複数の前記絶縁材料の表面に形成されたコイル導体パターンによって構成され、複数の前記絶縁材料の積層方向で前記信号コイル導体と離間して配置されたコイル導体である浮きコイル導体と、
前記信号コイル導体を構成するコイル導体パターン及び前記浮きコイル導体を構成するコイル導体パターンが形成された前記絶縁材料と隣接して積層される前記絶縁材料の表面に形成され、前記信号コイル導体及び前記浮きコイル導体と対向して配置された平面導体と、
前記絶縁材料の表面に、前記浮きコイル導体と対向して形成され、前記積層体の外部に設けられたアース端子電極に接続するアース導体とを備え、
前記信号コイル導体と前記浮きコイル導体とが前記平面導体を介して容量結合することで第１キャパシタ部を形成し、
前記浮きコイル導体と前記アース導体とが容量結合することで第２キャパシタ部を形成することを特徴とするＬＣ複合フィルタ部品。
【請求項２】
前記浮きコイル導体を構成するコイル導体パターンが、前記信号コイル導体を構成するコイル導体パターンが形成された複数の前記絶縁材料のすべてを含む複数の前記絶縁材料上に形成されていることを特徴とする請求項１に記載のＬＣ複合フィルタ部品。
【発明の詳細な説明】
【技術分野】
【０００１】
本発明は、電子機器などのノイズを除去するフィルタとして機能するインダクタとキャパシタとを備えるＬＣ複合フィルタ部品に関する。
【背景技術】
【０００２】
電子機器のノイズ対策用として、インダクタ（コイル部）とキャパシタ（コンデンサ部）とを組み合わせ、Ｌ型、Ｔ型あるいはπ型のＥＭＩ（ElectroMagnetic Interference）フィルタが知られている。
近年の電子機器の小型化に伴い、より小型のＥＭＩフィルタが望まれるようになり、誘電体材料、磁性体材料あるいは誘電体材料と磁性体材料との混合材料を用い、内部導体パターンにより形成したインダクタ部、キャパシタ部からなるフィルタ回路を内蔵する小型のモノリシック構造のＬＣ複合フィルタ部品が提案されている。
このような構造を有するＬＣ複合フィルタ部品は、誘電体材料と磁性体材料との混合材料の表面に導体を形成し、これを積層することによって形成されたインダクタとキャパシタとによって構成されている。この場合、インダクタ及びキャパシタとなる導電膜（内部導体）を形成した層は、積層体の中間層に配置された構成となっている（例えば、特許文献１参照）。
このＬＣ複合フィルタ部品は、一対のインダクタである信号ライン側コイルとグランドライン側コイルと、これら一対のインダクタが対向配置されて容量結合することで形成されたキャパシタとを備える分布定数型のＬＣ複合フィルタとなっている。
【特許文献１】特許第３４９２７６６号公報（図２）
【発明の開示】
【発明が解決しようとする課題】
【０００３】
しかしながら、上記従来のＬＣ複合フィルタ部品においては、以下の問題がある。すなわち、上記従来のＬＣ複合フィルタ部品では、キャパシタの静電容量値を調整する場合、信号ライン側及びグランドライン側コイルのパターン形状を変更する必要があり、信号ライン側及びグランドライン側コイルのインダクタンスが変化するという問題がある。
【０００４】
本発明は、前述の課題に鑑みてなされたもので、パターン形状を変更することなく、一対のコイル間の静電容量値を容易に設定することが可能なＬＣ複合フィルタ部品を提供することを目的とする。
【課題を解決するための手段】
【０００５】
本発明は、前記課題を解決するために以下の構成を採用した。すなわち、本発明のＬＣ複合フィルタ部品は、複数の絶縁材料を積層して構成された積層体と、前記積層体の内部に設けられ、複数の前記絶縁材料の表面に形成されたコイル導体パターンによって構成され、両端が前記積層体の外部に設けられた一対の信号端子電極にそれぞれ接続するコイル導体である信号コイル導体と、前記積層体の内部に設けられ、前記信号コイル導体を構成するコイル導体パターンが形成された複数の前記絶縁材料の内の少なくとも１つを含む複数の前記絶縁材料の表面に形成されたコイル導体パターンによって構成され、複数の前記絶縁材料の積層方向で前記信号コイル導体と離間して配置されたコイル導体である浮きコイル導体と、前記信号コイル導体を構成するコイル導体パターン及び前記浮きコイル導体を構成するコイル導体パターンが形成された前記絶縁材料と隣接して積層される前記絶縁材料の表面に形成され、前記信号コイル導体及び前記浮きコイル導体と対向して配置された平面導体と、前記絶縁材料の表面に、前記浮きコイル導体と対向して形成され、前記積層体の外部に設けられたアース端子電極に接続するアース導体とを備え、前記信号コイル導体と前記浮きコイル導体とが前記平面導体を介して容量結合することで第１キャパシタ部を形成し、前記浮きコイル導体と前記アース導体とが容量結合することで第２キャパシタ部を形成することを特徴とする。
【０００６】
この発明にかかるＬＣ複合フィルタ部品によれば、平面導体が信号コイル導体を構成するコイル導体パターンや浮きコイル導体を構成するコイル導体パターンと対向配置されており、信号コイル導体と平面導体との間で発生する静電容量と、浮きコイル導体と平面導体との間で発生する静電容量とによって第１キャパシタ部が形成される。また、浮きコイル導体とアース導体とが対向配置されることで、浮きコイル導体とアース導体との間で発生する静電容量によって第２キャパシタ部が形成される。
ここで、信号コイル導体や浮きコイル導体を構成するコイル導体パターンと平面導体とが対向する面積は、平面導体の形状を変更することによって調節することができる。したがって、信号コイル導体及び浮きコイル導体の形状を変更することなく、容易に第１キャパシタ部の静電容量値を設定することができる。
また、等価回路上において、第１キャパシタ部と第２キャパシタ部とが、一対の信号端子電極とアース端子電極との間で直列に配置されることになる。したがって、ＬＣ複合フィルタ部品の静電容量値である、信号端子電極とアース端子電極との間の静電容量値が、第１キャパシタ部の静電容量値及び第２キャパシタ部の静電容量値の合成容量となるので、第１及び第２キャパシタ部の静電容量値よりも小さくなる。この結果、信号端子電極から高速の信号を入力しても、入力された信号の波形のひずみを抑制することができる。
【０００７】
また、本発明のＬＣ複合フィルタ部品は、前記浮きコイル導体を構成するコイル導体パターンが、前記信号コイル導体を構成するコイル導体パターンが形成された複数の前記絶縁材料のすべてを含む複数の前記絶縁材料上に形成されていることが好ましい。
この発明にかかるＬＣ複合フィルタ部品によれば、信号コイル導体が形成された複数の絶縁材料のすべてに浮きコイルを構成するコイル導体パターンが形成されていることで、積層体の層数を低減することができる。
【発明の効果】
【０００８】
本発明のＬＣ複合フィルタ部品によれば、平面導体の形状を変更することで、信号コイル導体及び浮きコイル導体の設計変更を行うことなく、第１キャパシタ部の静電容量値を容易に設定することができる。
また、信号端子電極とアース端子電極との間で、第１キャパシタ部と第２キャパシタ部とが、直列に配置されることになる。これにより、ＬＣ複合フィルタ部品の静電容量値が、第１及び第２キャパシタ部の静電容量値よりも小さくなる。この結果、信号端子電極から高速の信号を入力しても、入力された信号の波形のひずみを抑制することができる。したがって、高速の信号ラインに適用可能となる。
【発明を実施するための最良の形態】
【０００９】
以下、本発明によるＬＣ複合フィルタ部品の一実施形態を図面に基づいて説明する。なお、本実施形態では、３端子型ノイズフィルタに適用したものであり、図１は、本実施形態におけるＬＣ複合フィルタ部品におけるＬＣ複合フィルタ部品の分解斜視図、図２は、第１から第１１絶縁材料を示す平面図、図３は、図１の完成状態を示すＬＣ複合フィルタ部品の外観斜視図であり、図４は、その等価回路図である。
【００１０】
図１から図３において、ＬＣ複合フィルタ部品１は、シート状とした複数枚の絶縁材料を積層して一体化した構成とされる。また、ほぼ直方体形状の積層体としたＬＣ複合フィルタ部品の対向する２側面には、後述する信号コイル導体５６と接続されている一対の信号端子電極１１、１２が設けられており、ＬＣ複合フィルタ部品の他の対向する２側面には、後述する第１及び第２アース導体５４、５５と接続されている一対のアース端子電極１３、１４が設けられている。
【００１１】
複数枚の絶縁材料を積層して一体化した積層体は、第１カバー層２１、第１から第１１絶縁材料２２〜３２、第２カバー層３３の順に上からシート状の絶縁材料を１３層に積層した構成とされる。ここで、絶縁材料としては、誘電体材料が用いられている。
なお、第１及び第２カバー層２１、３３は、上述した１層に限定されることはなく、２層以上であってもよい。
【００１２】
第１から第１１絶縁材料２２〜３２には、それぞれの上面に第１から第１０コイル導体パターン４１〜５０、第１から第３平面導体５１〜５３及び第１及び第２アース導体５４、５５が設けられている。この第１から第４コイル導体パターン４１〜４４を接続することにより、信号コイル導体５６が形成され、第５から第１０コイル導体パターン４５〜５０を接続することにより、浮きコイル導体５７が形成される。
なお、これら第１から第１０コイル導体パターン４１〜５０と、第１から第３平面導体５１〜５３と、第１及び第２アース導体５４、５５とは、例えば銀などの導電体を印刷やメッキなどの周知の手法により形成したものである。
【００１３】
このうち、第１コイル導体パターン４１は、ほぼコ字状の導体パターンであって、第３絶縁材料２４の上面に形成されている。そして、第１コイル導体パターン４１の一方の端部には、信号端子電極１１に接続される引出電極４１ａが形成されている。また、第１コイル導体パターン４１の他方の端部には、第３絶縁材料２４を貫通するスルーホールＨａが設けられている。
【００１４】
また、第２コイル導体パターン４２は、ほぼ１ターン分のコイルパターンを形成する導体パターンであって、第１コイル導体パターン４１と同様に、第５絶縁材料２６の上面に形成されている。そして、第２コイル導体パターン４２の一方の端部は、スルーホールＨａ及び第４絶縁材料２５に形成されたスルーホールＨｂを介して、上述した第３絶縁材料２４の上面に形成されている第１コイル導体パターン４１と電気的に接続されている。また、第２コイル導体パターン４２の他方の端部には、第５絶縁材料２６を貫通するスルーホールＨｃが設けられている。
なお、スルーホールＨｂは、積層体の積層方向においてスルーホールＨａと重なる位置に形成されている。
【００１５】
また、第３コイル導体パターン４３は、ほぼ１ターン分のコイルパターンを形成する導体パターンであって、第１及び第２コイル導体パターン４１、４２と同様に、第７絶縁材料２８の上面に形成されている。そして、第３コイル導体パターン４３の一方の端部には、スルーホールＨｃ及び第６絶縁材料２７に形成されたスルーホールＨｄを介して、上述した第５絶縁材料２６の上面に形成されている第２コイル導体パターン４２と電気的に接続されている。また、第３コイル導体パターン４３の他方の端部には、第７絶縁材料２８を貫通するスルーホールＨｅが設けられている。
なお、スルーホールＨｄは、積層体の積層方向においてスルーホールＨｃと重なる位置に形成されている。
【００１６】
また、第４コイル導体パターン４４は、ほぼコ字状の導体パターンであって、第１から第３コイル導体パターン４１〜４３と同様に、第９絶縁材料３０の上面に形成されている。そして、第４コイル導体パターン４４の一方の端部には、スルーホールＨｅ及び第８絶縁材料２９に形成されたスルーホールＨｆを介して、上述した第７絶縁材料２８の上面に形成されている第３コイル導体パターン４３と電気的に接続されている。また、第４コイル導体パターン４４の他方の端部には、信号端子電極１２に接続される引出電極４４ａが形成されている。
以上より、第１から第４コイル導体パターン４１〜４４が、電気的に接続されて信号コイル導体５６を形成する。
なお、スルーホールＨｆは、積層体の積層方向においてスルーホールＨｅと重なる位置に形成されている。
【００１７】
一方、第５コイル導体パターン４５は、ほぼ１ターン分のコイルパターンを形成する導体パターンであって、第１から第４コイル導体パターン４１〜４４と同様に、第２絶縁材料２３の上面に形成されている。そして、第５コイル導体パターン４５の一方の端部には、第２絶縁材料２３を貫通するスルーホールＨｇが設けられている。
【００１８】
また、第６コイル導体パターン４６は、ほぼ１ターン分のコイルパターンを形成する導体パターンであって、第１から第５コイル導体パターン４１〜４５と同様に、第１コイル導体パターン４１が形成された第３絶縁材料２４の上面に、第１コイル導体パターン４１と交差しないように形成されている。そして、第６コイル導体パターン４６の一方の端部には、スルーホールＨｇを介して、上述した第２絶縁材料２３の上面に形成されている第５コイル導体パターン４５と電気的に接続されている。また、第６コイル導体パターン４６の他方の端部には、第３絶縁材料２４を貫通するスルーホールＨｈが設けられている。
【００１９】
また、第７コイル導体パターン４７は、ほぼ１ターン分のコイルパターンを形成する導体パターンであって、第１から第６コイル導体パターン４１〜４６と同様に、第２コイル導体パターン４２が形成された第５絶縁材料２６の上面に、第２コイル導体パターン４２と交差しないように形成されている。そして、第７コイル導体パターン４７の一方の端部には、スルーホールＨｈ及び第４絶縁材料２５に形成されたスルーホールＨｉを介して、上述した第３絶縁材料２４の上面に形成されている第６コイル導体パターン４６と電気的に接続されている。また、第７コイル導体パターン４７の他方の端部には、第５絶縁材料２６を貫通するスルーホールＨｊが設けられている。
なお、スルーホールＨｉは、積層体の積層方向においてスルーホールＨｈと重なる位置に形成されている。
【００２０】
また、第８コイル導体パターン４８は、ほぼ１ターン分のコイルパターンを形成する導体パターンであって、第１から第７コイル導体パターン４１〜４７と同様に、第３コイル導体パターン４３が形成された第７絶縁材料２８の上面に、第３コイル導体パターン４３と交差しないように形成されている。そして、第８コイル導体パターン４８の一方の端部には、スルーホールＨｊ及び第６絶縁材料２７に形成されたスルーホールＨｋを介して、上述した第５絶縁材料２６の上面に形成されている第７コイル導体パターン４７と電気的に接続されている。また、第８コイル導体パターン４８の他方の端部には、第７絶縁材料２８を貫通するスルーホールＨｌが設けられている。
なお、スルーホールＨｋは、積層体の積層方向においてスルーホールＨｊと重なる位置に形成されている。
【００２１】
また、第９コイル導体パターン４９は、ほぼ１ターン分のコイルパターンを形成する導体パターンであって、第１から第８コイル導体パターン４１〜４８と同様に、第４コイル導体パターン４４が形成された第９絶縁材料３０の上面に、第４コイル導体パターン４４と交差しないように形成されている。そして、第９コイル導体パターン４９の一方の端部には、スルーホールＨｌ及び第８絶縁材料２９に形成されたスルーホールＨｍを介して、上述した第７絶縁材料２８の上面に形成されている第８コイル導体パターン４８と電気的に接続されている。また、第９コイル導体パターン４９の他方の端部には、第９絶縁材料３０を貫通するスルーホールＨｎが設けられている。
なお、スルーホールＨｍは、積層体の積層方向においてスルーホールＨｌと重なる位置に形成されている。
【００２２】
また、第１０コイル導体パターン５０は、ほぼ１ターン分のコイルパターンを形成する導体パターンであって、第１から第９コイル導体パターン４１〜４９と同様に、第１０絶縁材料３１の上面に形成されている。そして、第１０コイル導体パターン５０の一方の端部には、スルーホールＨｎを介して、上述した第９絶縁材料３０の上面に形成されている第９コイル導体パターン４９と電気的に接続されている。
以上より、第５から第１０コイル導体パターン４５〜５０が、電気的に接続されて浮きコイル導体５７を形成する。
なお、信号コイル導体５６と浮きコイル導体５７とは、互いの渦巻き方向が同一方向となると共に、積層体の積層方向において互いに重ならないように形成されている。
【００２３】
そして、第１平面導体５１は、ほぼ矩形状であって、第４絶縁材料２５の上面に形成されており、第２平面導体５２は、第６絶縁材料２７の上面に形成されており、第３平面導体５３は、第８絶縁材料２９の上面に形成されている。
第１平面導体５１は、積層体の積層方向において、信号コイル導体５６及び浮きコイル導体５７を形成するコイル導体パターンの一部である、導体パターン４１ｂ、４２ａ、４６ａ、４７ａと重なり合うように形成されており、第２平面導体５２は、積層体の積層方向において、導体パターン４２ａ、４３ａ、４７ａ、４８ａと重なり合うように形成されており、第３平面導体５３は、積層体の積層方向において、導体パターン４３ａ、４４ｂ、４８ａ、４９ａと重なり合うように形成されている。この互いに重なった部分の静電容量によって、図４に示す、第１キャパシタ部６１が形成される。
なお、第１キャパシタ部６１の静電容量値は、第１から第３平面導体５１〜５３の形状や、導体パターン４１ｂ、４２ａ、４３ａ、４４ｂ、４６ａ、４７ａ、４８ａ、４９ａの線幅などの形状を適宜変更することで調整可能に構成されている。
【００２４】
また、第１アース導体５４は、ほぼ矩形状であって、第１絶縁材料２２の上面に形成されている。そして、第１アース導体５４の一方の端部には、アース端子電極１３に接続される引出電極５４ａが形成されている。また、第１アース導体５４の他方の端部には、アース端子電極１４に接続される引出電極５４ｂが形成されている。
また、第２アース導体５５は、第１アース導体５４と同様に、第１１絶縁材料３２の上面に形成されている。そして、第２アース導体５５の一方の端部には、アース端子電極１３に接続される引出電極５５ａが形成されている。また、第２アース導体５５の他方の端部には、アース端子電極１４に接続される引出電極５５ｂが形成されている。
第１アース導体５４は、積層体の積層方向において、浮きコイル導体５７を形成する第５コイル導体パターン４５と重なるように形成されている。また、第２アース導体５５は、積層体の積層方向において、第１０コイル導体パターン５０と重なるように形成されている。この互いに重なった部分の静電容量によって、図４に示す、第２キャパシタ部６２が形成される。
【００２５】
このように構成されたＬＣ複合フィルタ部品１は、図４に示すように、その等価回路において、グランドＧと浮きコイル導体５７との間に、第２キャパシタ部６２が形成されている。したがって、本実施形態のＬＣ複合フィルタは、その等価回路において、浮きコイル導体が直接グランドに接続された分布定数型のＬＣ複合フィルタ部品とは異なるものである。
【００２６】
以上のように構成された本発明のＬＣ複合フィルタ部品について、以下にその製造方法を説明する。
最初に、誘電体材料粉末に有機バインダ、有機溶剤及び分散剤を加えて、ドクターブレード法によってグリーンシートを作成し、所定の形状（例えば、矩形状）としたシート状の第１及び第２カバー層２１、３３と第１から第１１絶縁材料２２〜３２とを製作する。次に、第２から第９絶縁材料２３〜３０の所定位置に、レーザ、パンチングなどの周知の手法を用いて穴あけ加工を施し、スルーホールＨａ〜Ｈｎを設ける。
【００２７】
次に、第１から第１１絶縁材料２２〜３２の上面に第１から第１０コイル導体パターン４１〜５０と、第１から第３平面導体５１〜５３と、第１及び第２アース導体５４、５５とを、例えば銀などの導電ペーストを用いた印刷や転写などの周知の手法を用いて互いに短絡しないように形成する。
【００２８】
このとき、第１コイル導体パターン４１の一端には引出電極４１ａが、第４コイル導体パターン４４の一端には引出電極４４ａが、第１アース導体５４の両端には引出電極５４ａ、５４ｂが、第２アース導体５５の両端には引出電極５５ａ、５５ｂがそれぞれ一体的に連続して形成されている。
また、スルーホールＨａ〜Ｈｎには、スルーホールを設けた絶縁材料に形成される導体と一体的に連続するような銀などの導電材料が充填される。なお、スルーホールを介して接続される絶縁材料上に形成された導体とは、導体側に図示しない凸状の電極部を設けることなどでスルーホールの導電体に接触させ、電気的に接続されるようになっている。
【００２９】
次に、第１カバー層２１と、第１から第１１絶縁材料２２〜３２と、第２カバー層３３とを積層し、プレスにより熱圧着することで積層体１５を形成する。そして、これを９００℃で焼成して、銀を用いて信号端子電極１１、１２及びアース端子電極１３、１４を形成し、Ｎｉ（ニッケル）、Ｓｎ（スズ）によってメッキ膜を形成することによって完成する。
【００３０】
このように構成されたＬＣ複合フィルタ部品１は、第１から第３平面導体５１〜５３がそれぞれ信号コイル導体５６及び浮きコイル導体５７と対向して配置されていることによって、積層体の積層方向において互いに重なり合う面積に応じた静電容量値を有する第１キャパシタ部６１が形成される。
ここで、第１から第３平面導体５１〜５３の形状を変更することで、第１キャパシタ部６１の静電容量値を調節することができる。したがって、信号コイル導体５６及び浮きコイル導体５７の形状を変更することなく、容易に第１キャパシタ部６１の静電容量値を設定することができる。
【００３１】
また、第１及び第２アース導体５４、５５が、それぞれ浮きコイル導体５７と対向して配置されることで積層体の積層方向において互いに重なり合う面積に応じた静電容量値を有する第２キャパシタ部６２が形成される。これにより、等価回路上において、信号端子電極１１、１２とアース端子電極１３、１４との間で、第１キャパシタ部６１と第２キャパシタ部６２とが、直列に配置されることとなる。以上より、ＬＣ複合フィルタ部品の静電容量値である、信号端子電極１１、１２とアース端子電極１３、１４との間の静電容量値が、第１キャパシタ部６１の静電容量値及び第２キャパシタ部６２の静電容量値の合成容量となるので、第１及び第２キャパシタ部６１、６２のそれぞれの静電容量値よりも小さくなる。この結果、信号端子電極１３、１４から高速の信号を入力しても、静電容量値が小さいので、入力された信号の波形のひずみを抑制することができる。したがって、高速の信号ラインに適用可能となる。
【００３２】
なお、本発明は上記実施形態に限定されるものではなく、本発明の趣旨を逸脱しない範囲において種々の変更を加えることが可能である。
例えば、上述したＬＣ複合フィルタ部品は、上述した構成のものを複数組並べて、アレイ化することも可能である。
また、信号コイル導体５６及び浮きコイル導体５７と３箇所で対向するように、第１から第３平面導体５１〜５３が配置されているが、所望する第１キャパシタ部６１の静電容量値に応じて、１箇所や２箇所などであってもよい。
また、浮きコイル導体５７と２箇所で対向するように、第１及び第２アース導体５４、５５が配置されているが、所望する第２キャパシタ部６２の静電容量値に応じて、どちらか１方のみであってもよい。
【００３３】
また、例えば、第３から第５絶縁材料２４〜２６の上面に形成されている第１、第２、第６及び第７コイル導体パターン４１、４２、４６、４７と、第１平面導体５１とにおいて、図５に示すように、第１、第２、第６及び第７コイル導体パターン４１、４２、４６、４７のそれぞれの導体パターン４１ｂ、４２ａ、４６ａ、４７ａの線幅を太くし、第１平面導体５１の線幅を太くすると共に長手方向の長さを導体パターン４１ｂ、４２ａ、４６ａ、４７ａよりも短くした構成であってもよい。
このようにすることで、第４絶縁材料２５の表面に第１平面導体５１を形成する際に、第１平面導体５１が位置ずれしても、第１、第２、第６及び第７コイル導体パターン４１、４２、４６、４７と、第１平面導体５１とが積層体の積層方向において重なり合う面積が一定であるため、製作誤差に対する許容量が大きくなる。なお、この構成を、他のコイル導体パターン及び平面導体に適用しても同様の効果を得ることができる。
ここで、第１から第３平面導体５１〜５３は、信号コイル導体５６及び浮きコイル導体５７でそれぞれ発生する磁束を妨げることがないように、積層体の積層方向において信号コイル導体５６及び浮きコイル導体５７と交差しないように形成されていることが望ましい。
【図面の簡単な説明】
【００３４】
【図１】本発明の一実施形態におけるＬＣ複合フィルタ部品を示す分解斜視図である。
【図２】図１の第１から第１１絶縁材料を示す平面図である。
【図３】図１のＬＣ複合フィルタ部品を示す外観斜視図である。
【図４】図１のＬＣ複合フィルタ部品を示す等価回路図である。
【図５】本発明にかかる実施形態以外の、本発明を適用可能な第３から第５絶縁材料を示す平面図である。
【符号の説明】
【００３５】
１  ＬＣ複合フィルタ部品
１１、１２  信号端子電極
１３、１４  アース端子電極
２１  第１カバー層
２２  第１絶縁材料
２３  第２絶縁材料
２４  第３絶縁材料
２５  第４絶縁材料
２６  第５絶縁材料
２７  第６絶縁材料
２８  第７絶縁材料
２９  第８絶縁材料
３０  第９絶縁材料
３１  第１０絶縁材料
３２  第１１絶縁材料
３３  第２カバー層
４１  第１コイル導体パターン
４２  第２コイル導体パターン
４３  第３コイル導体パターン
４４  第４コイル導体パターン
４５  第５コイル導体パターン
４６  第６コイル導体パターン
４７  第７コイル導体パターン
４８  第８コイル導体パターン
４９  第９コイル導体パターン
５０  第１０コイル導体パターン
５１  第１平面導体
５２  第２平面導体
５３  第３平面導体
５４  第１アース導体
５５  第２アース導体
５６  信号コイル導体
５７  浮きコイル導体
６１  第１キャパシタ部
６２  第２キャパシタ部
【図１】
2006041632.tif 000003
【図２】
2006041632.tif 000004
【図３】
2006041632.tif 000005
【図４】
2006041632.tif 000006
【図５】
2006041632.tif 000007